(57)【要約】    【課題】  大型化せず、合成される系統数に応じた最適なレベル調整を、簡単に行うことができる音声モニター装置、音声モニター方法及び音声モニター用プログラムを提供する。    【解決手段】  音声モニター装置１００に音声処理部１１０、操作部１２０を備える。音声処理部１１０に、分岐されて３つにグループ化された複数の系統１０を備える。各グループα、β、γにおける各系統１０に、切替部１１を設け、グループ毎の出力を調整するレベル調整器１２を設ける。いずれかのグループのいずれかの系統を切替部１１に選択させ、あらかじめ設定された系統毎のゲイン情報及びミックス数毎の減衰レベル情報に基づいてレベル調整器１２に調整させる制御部１２２を、操作部１２０に設ける。【選択図】  図１
2006148187.tif 000002
【特許請求の範囲】
【請求項１】
音声信号を伝達する複数の系統と、合成される音声信号としていずれかの系統の音声信号を選択する切替部とを有する音声モニター装置において、
前記系統毎の音声信号のゲイン情報を記憶するゲイン記憶部と、
前記切替部が選択する系統数に応じた音声信号の減衰レベル情報を記憶する減衰レベル記憶部と、
前記切替部が選択した系統の音声信号を、前記ゲイン情報及び前記減衰レベル情報に基づいて調整する調整部と、
を有することを特徴とする音声モニター装置。
【請求項２】
前記複数の系統は複数のグループに分岐され、
前記調整部は、各グループ毎に設けられ、
前記切替部がいずれのグループにおけるいずれの系統を選択するかの設定を記憶するグループ設定記憶部を有することを特徴とする請求項１記載の音声モニター装置。
【請求項３】
切替部が、音声信号が入力される複数の系統のうち、合成される音声信号としていずれかの系統の音声信号を選択する音声モニター方法において、
ゲイン記憶部が、系統毎の音声信号のゲイン情報を記憶し、
減衰レベル記憶部が、切替部が選択する系統数に応じた音声信号の減衰レベル情報を記憶し、
調整部が、切替部が選択した系統の音声信号を、ゲイン情報及び減衰レベル情報に基づいて調整することを特徴とする音声モニター方法。
【請求項４】
グループ設定記憶部が、複数のグループに分岐された複数の系統のうち、いずれのグループにおけるいずれの系統を選択するかのグループ設定を記憶し、
切替部が、グループ設定に基づいて系統を選択することを特徴とする請求項３記載の音声モニター方法。
【請求項５】
コンピュータを制御することにより、複数の系統に入力された音声信号のうち、合成される音声信号としていずれかの系統の音声信号を選択させる音声モニター用プログラムにおいて、
前記コンピュータに、
系統毎の音声信号のゲイン情報を記憶させ、
選択する系統数に応じた音声信号の減衰レベル情報を記憶させ、
選択した系統の音声信号を、ゲイン情報及び減衰レベル情報に基づいて調整させることを特徴とする音声モニター用プログラム。
【請求項６】
前記コンピュータに、
複数のグループに分岐された複数の系統のうち、いずれのグループにおけるいずれの系統を選択するかのグループ設定を記憶させ、
グループ設定に基づいて、系統を選択させることを特徴とする請求項５記載の音声モニター用プログラム。
【発明の詳細な説明】
【技術分野】
【０００１】
本発明は、複数の音声信号を合成（ミキシング）して出力する音声モニター技術に係り、特に、合成した音量の調整機能に改良を施した音声モニター装置、音声モニター方法及び音声モニター用プログラムに関する。
【背景技術】
【０００２】
従来から、入力された複数の音声信号を合成して、スピーカ等に出力する音声モニター装置が存在する。このような音声モニター装置として、音声調整装置の一部として構成されたものの一例を、図４に示す。すなわち、この音声モニター装置３００は、音声処理部３１０と、操作部３２０とを備えている。音声処理部３１０には、音声調整装置内部からの音声信号（ＭＡＳＴＥＲ、ＧＲＯＵＰ、ＡＵＸ等）と、外部機器から入力される音声信号（ＣＤ、ＤＡＴ等）に対応して、複数の系統３０が設けられている。
【０００３】
各系統３０には、系統を開閉することにより、使用する音声信号を選択的に切り替える切替部３１が設けられている。これらの切替部３１の開閉は、操作部３２０から入力される制御信号に応じて制御される。また、切替部３１からの出力は、音声信号をミックス（合成）する合成部３２に合流するように構成されている。そして、合成部３２の出力側には、レベル調整器３３が設けられており、パワーアンプＰＡを介してスピーカＳＰに接続されている。
【０００４】
さらに、操作部３２０は、入力部３４、制御部３５を備えている。入力部３４は、スイッチ、ボリューム、タッチパネル等の入力手段である。制御部３５は、入力部３４からの入力に応じて、音声処理部３１０を制御する手段であり、特に、切替部３１への切替制御信号を出力する切替信号出力部３６を有している。また、レベル調整器３３は、入力部３４によって調整することができる。
【０００５】
このような従来の音声モニター装置では、入力部３４によってユーザが所望の系統を選択すると、選択された系統の切替部３１が閉状態とされるので、それらの音声信号が合成部３２において合成されて、パワーアンプＰＡにより増幅され、スピーカＳＰから出力される。また、ユーザが入力部３４を操作することによって、レベル調整器３３が作動するので、トータルの出力音量を調整できる。
【０００６】
【特許文献１】特開平５−４８９６６号公報
【発明の開示】
【発明が解決しようとする課題】
【０００７】
しかしながら、上記のような従来の音声モニター装置においては、音量調整装置内部の音声信号（例えば、ＭＡＳＴＥＲ、ＧＲＯＵＰ、ＡＵＸ）のいずれかを選択するように、切替部３１を切り替えた場合に、それぞれの音声信号を個別にレベル調整する機能が無い。このため、使用する音声信号間のレベル差がなくなるようにモニターする場合は、切り替える度に、レベル調整器３３によってミックス信号のトータルレベルを調整しなければならず、操作が煩雑になる。また、合成部３２において、複数の音声信号をミックスしてモニターする場合に、単純に加算すると、ミックスする信号数が多いほど合成後のレベルが上がってしまう。
【０００８】
これに対処するため、複数の系統毎に、個別にレベル制御を行う従来技術も提案されている（特許文献１参照）。ここで、図４に示した従来技術において、このようなレベル制御を行う場合には、例えば、図５に示すように、複数の系統にそれぞれ個別にレベル調整器３７を設けるとともに、制御部３５に、合成部３２の出力信号に対して、ミックス数に応じた減衰が行われるように、レベル調整器３３を制御する減衰レベル信号出力部３８を設けることが考えられる。しかし、かかる場合には、結局、音声信号に使用する系統数分のレベル調整器３７が必要になるとともに、レベル調整器３３によるトータルのレベル調整も必要となり、実現するための装置の規模が大型化してしまう。
【０００９】
本発明は、上記のような従来技術の問題点を解決するために提案されたものであり、その目的は、大型化せず、合成される系統数に応じた最適なレベル調整を、簡単に行うことができる音声モニター装置、音声モニター方法及び音声モニター用プログラムを提供することにある。
【課題を解決するための手段】
【００１０】
上記の目的を達成するため、請求項１の発明は、音声信号を伝達する複数の系統と、合成される音声信号としていずれかの系統の音声信号を選択する切替部とを有する音声モニター装置において、前記系統毎の音声信号のゲイン情報を記憶するゲイン記憶部と、前記切替部が選択する系統数に応じた音声信号の減衰レベル情報を記憶する減衰レベル記憶部と、前記切替部が選択した系統の音声信号を、前記ゲイン情報及び前記減衰レベル情報に基づいて調整する調整部と、を有することを特徴とする。
【００１１】
請求項３の発明は、切替部が、音声信号が入力される複数の系統のうち、合成される音声信号としていずれかの系統の音声信号を選択する音声モニター方法において、ゲイン記憶部が、系統毎の音声信号のゲイン情報を記憶し、減衰レベル記憶部が、切替部が選択する系統数に応じた音声信号の減衰レベル情報を記憶し、調整部が、切替部が選択した系統の音声信号を、ゲイン情報及び減衰レベル情報に基づいて調整することを特徴とする。
【００１２】
請求項５の発明は、コンピュータを制御することにより、複数の系統に入力された音声信号のうち、合成される音声信号としていずれかの系統の音声信号を選択して出力させる音声モニター用プログラムにおいて、前記コンピュータに、系統毎の音声信号のゲイン情報を記憶させ、選択する系統数に応じた音声信号の減衰レベル情報を記憶させ、選択した系統の音声信号を、ゲイン情報及び減衰レベル情報に基づいて調整させることを特徴とする。
【００１３】
以上のような請求項１、３及び５の発明では、切替部によって選択する系統毎のゲイン情報のみならず、選択する系統数に応じた減衰レベル情報に基づいて、音声信号を調整することができるので、合成される音声信号やその数を変えても、適切なレベルに自動的に調整することができる。
【００１４】
請求項２の発明は、請求項１の音声モニター装置において、前記複数の系統は複数のグループに分岐され、前記調整部は、各グループ毎に設けられ、前記切替部がいずれのグループにおけるいずれの系統を選択するかの設定を記憶するグループ設定記憶部を有することを特徴とする。
【００１５】
請求項４の発明は、請求項３の音声モニター方法において、グループ設定記憶部が、複数のグループに分岐された複数の系統のうち、いずれのグループにおけるいずれの系統を選択するかのグループ設定を記憶し、切替部が、グループ設定に基づいて系統を選択することを特徴とする。
【００１６】
請求項６の発明は、請求項５の音声モニター用プログラムにおいて、前記コンピュータに、複数のグループに分岐された複数の系統のうち、いずれのグループにおけるいずれの系統を選択するかのグループ設定を記憶させ、グループ設定に基づいて、系統を選択させることを特徴とする。
【００１７】
以上のような請求項２、４及び６の発明では、系統をグループに分岐させ、グループ毎に系統を選択してレベル調整するので、調整部の数をグループ数に合わせることにより、調整部の設置数を節約することができる。
【発明の効果】
【００１８】
本発明によれば、大型化せず、合成される系統数に応じた最適なレベル調整を、簡単に行うことができる音声モニター装置、音声モニター方法及び音声モニター用プログラムを提供することができる。
【発明を実施するための最良の形態】
【００１９】
［構成］
以下、本発明を実施するための最良の形態（実施形態）について、図１を参照して説明する。すなわち、本実施形態の音声モニター装置１００は、音声処理部１１０及び操作部１２０によって構成されている。音声処理部１１０は、音声調整装置内部からの音声信号（ＭＡＳＴＥＲ、ＧＲＯＵＰ、ＡＵＸ等）と、外部機器から入力される音声信号（ＣＤ、ＤＡＴ等）に対応して、複数の系統１０が設けられている。
【００２０】
そして、これらの複数の系統１０は、それぞれ分岐されることにより、３つにグループ化されている。各グループα、β、γにおける各系統１０には、それぞれ切替部１１が設けられている。さらに、各グループα、β、γからの出力は、レベル調整器（ボリューム）１２によって調整されるように構成されている。各レベル調整器１２からの出力は合成され、パワーアンプＰＡを介してスピーカＳＰに入力される。
【００２１】
操作部１２０は、操作パネル部１２１、制御部１２２及び設定記憶部１２３を備えている。操作パネル部１２１は、スイッチ、ボリューム等の入力部２０、タッチパネル等を備えた表示部２１を有している。制御部１２２は、操作パネル部１２１からの入力に応じて、音声処理部１１０に制御信号を出力する手段である。この制御部１２２は、系統選択部２２、ゲイン選択部２３及び減衰レベル選択部２４、制御信号生成部２５及び制御信号出力部２６を有している。また、設定記憶部１２３は、グループ設定記憶部２７、ゲイン記憶部２８、減衰レベル記憶部２９を有している。
【００２２】
系統選択部２２は、操作パネル部１２１からの入力に応じて、α，β，γのグループのいずれ（一つ又は複数）を選択するか、選択したグループのいずれ（一つ）の系統を選択するかを設定する手段である。このようなグループ設定は、グループ設定記憶部２７に記憶される。ゲイン選択部２３は、上記のグループ設定に基づいて、選択された系統に対応するゲイン情報を選択する手段である。
【００２３】
ゲイン情報は、ゲイン記憶部２８に記憶されている。このゲイン情報は、例えば、図２に示すように、各音源に一対一で対応する各系統（回線）に付された名称及び番号に、ゲイン値を関連付けたテーブルである。ゲイン値（パラメータ）は、デフォルトで設定されていてもよいし、操作パネル部１２１から、あらかじめ系統の番号と、ゲイン値を入力することによって作成することもできる。なお、図２の系統数の１２は例示であり、図１で図示している系統数とは異なっている。
【００２４】
減衰レベル選択部２４は、上記のグループ設定に基づいて、選択された系統数に応じた減衰レベル情報を選択する手段である。減衰レベル情報は、減衰レベル記憶部２９に記憶されている。この減衰レベル情報は、例えば、図３に示すように、合成する系統数（ミックス数）に応じた減衰レベル値からなるテーブルである。減衰レベル値（パラメータ）は、デフォルトで設定されていてもよいし、操作パネル部１２１から、あらかじめミックス数と減衰レベル値を入力することによって作成することもできる。
【００２５】
なお、音声処理部１１０及び操作部１２０を実現するための回路は、例えば、これらの機能を実現するＡＳＩＣやＣＰＵ等のＩＣチップやその他の周辺回路によって構成したり、複数の機能を集約したシステムＬＳＩによって構成する等、種々考えられるものであり、特定のものには限定されない。ハードウェア処理とソフトウェア処理の範囲も自由である。
【００２６】
また、パーソナルコンピュータやサーバ装置のような汎用のコンピュータを、プログラムで制御することで実現することもできる。この場合のプログラムは、コンピュータのハードウェアを物理的に活用することで、本実施形態における各部の機能を実現するものであり、かかるプログラム及びプログラムを記録したハードディスク、ＣＤ−ＲＯＭ、ＤＶＤ−ＲＯＭその他の種々の記録媒体は単独でも本発明の一態様である。従って、例えば、コンピュータにアプリケーションプログラムをインストールすることにより、本実施形態を構成することもできる。
【００２７】
［作用］
以上のような本実施形態の作用は、次の通りである。すなわち、ユーザは、操作パネル部１２１から、α，β，γのいずれか（一つ又は複数）のグループと、そのグループ内のいずれか（一つ）の系統を指定して入力する。すると、この入力に応じて、系統選択部２２が、使用するグループと系統に関するグループ設定を生成し、これが、グループ設定記憶部２７に記憶される。
【００２８】
ゲイン選択部２３は、グループ設定記憶部２７に記憶されたグループ設定（選択したグループ及び系統）に基づいて、利用される系統に対応する番号のゲイン値を選択する。また、減衰レベル選択部２４は、グループ設定記憶部２７に記憶されたグループ設定（選択した系統数）に基づいて、これに対応する減衰レベル値を、減衰レベル記憶部２９から選択する。
【００２９】
そして、制御信号生成部２５は、グループ設定及びこれに応じて選択されたゲイン値、減衰レベル値に基づいて、切替部１１及びレベル調整器１２を制御する制御信号を生成し、これを制御信号出力部２６が音声処理部１１０に出力する。音声処理部１１０においては、制御信号に基づいて、選択された系統に対応する切替部１１が閉状態となり、選択されたグループにおけるレベル調整器１２によって、レベル調整が行われる。調整された音声信号は合成され、パワーアンプＰＡにより増幅されて、スピーカＳＰから出力される。
【００３０】
より具体的な処理の例を、以下に説明する。例えば、図２のテーブルに従う場合、グループα，βについて、それぞれＣＤ１とＣＤ２に対応する系統が選択されたとすると、ゲイン値は以下の通りとなる。
ＣＤ１＝番号１＝４ｄＢ
ＣＤ２＝番号２＝０ｄＢ
【００３１】
この場合、系統数は２となるため、図３のテーブルに従う場合、減衰レベル選択部２４は、ミックス数２の減衰レベル値「−３」を選択する。このため、制御信号生成部２５においては、
番号１＝４−３＝１ｄＢ
番号２＝０−３＝−３ｄＢ
としてレベル調整値を算出し、制御信号出力部２６が、このレベル調整値を、グループ設定（選択されたグループとそれぞれにおいて選択された系統の番号）とともに音声処理部１１０に出力する。すると、αの系統番号１に対応する切替部１１、βの系統番号２に対応する切替部１１が閉状態となり、α及びβのレベル調整器１２が、上記のレベル調整値によって制御される。
【００３２】
［効果］
以上のような本実施形態によれば、複数の音声信号をミックスした信号を、切り替えて聞き比べをする場合であっても、音源に応じた個別のレベル調整とともに、ミックス数に応じたレベル調整が自動的になされているので、ミックス数の増減変化によるレベル差の発生を抑えたモニターが可能となる。
【００３３】
また、一般的に、入力可能な音声信号数（数十系統）のうち、同時にミックスしてモニターするのは数系統でよいので、本実施形態のように、グループ毎に利用系統を選択してレベル調整する構成により、装備するレベル調整器１２の数を節約することができる。従って、系統数が多くても、装置の規模を小さく抑えることが可能となる。
【００３４】
［他の実施形態］
本発明は、上記のような実施形態に限定されるものではない。例えば、系統数は上記の実施形態で例示した数には限定されず、音源の数に応じて自由に設定可能である。音源の種類も自由である。グループの数も、合成できる最大数に応じて、自由に設定可能である。一つのグループ内から複数の系統を選択できるようにしてもよい。ゲイン情報や減衰レベルの具体的な値についても自由である。パワーアンプにおいて若しくはパワーアンプの手前に、トータルのレベル調整器を設けてもよい。操作部における入力手段やインタフェースも、特定のものには限定されない。さらに、本発明における音声信号は、最終的に空気振動として出力するために電気的に変換されたものを広く含むものである。従って、本発明は、アナログ信号を処理する回路としても、Ａ／Ｄ変換を介してディジタル信号を処理する回路としても実現可能である。
【図面の簡単な説明】
【００３５】
【図１】本発明の音声モニター装置の実施形態の構成例を示すブロック図である。
【図２】本発明の実施形態におけるゲイン情報の一例を示す説明図である。
【図３】本発明の実施形態における減衰レベル情報の一例を示す説明図である。
【図４】従来の音声モニター装置の一例を示すブロック図である。
【図５】従来の音声モニター装置の他の一例を示すブロック図である。
【符号の説明】
【００３６】
１０，３０…系統
１１，３１…切替部
１２，３３，３７…レベル調整器
２０，３４…入力部
２１…表示部
２２…系統選択部
２３…ゲイン選択部
２４…減衰レベル選択部
２５…制御信号生成部
２６…制御信号出力部
２７…グループ設定記憶部
２８…ゲイン記憶部
２９…減衰レベル記憶部
３２…合成部
３５，１２２…制御部
３６…切替信号出力部
３８…減衰レベル信号出力部
１００，３００…音声モニター装置
１１０，３１０…音声処理部
１２０，３２０…操作部
１２１…操作パネル部
１２３…設定記憶部
【図１】
2006148187.tif 000003
【図２】
2006148187.tif 000004
【図３】
2006148187.tif 000005
【図４】
2006148187.tif 000006
【図５】
2006148187.tif 000007